(57)【要約】      （修正有）【課題】  履物の底または中敷において、磁石を用いて足裏の刺激性がよく、天板が上下してクッションのよい健康履物の底および中敷を提供する。【解決手段】  プレート１に１または複数の凹部２を設け、それらそれぞれの凹部２の底に１または複数の磁石３を収納し、基盤部５の上面に突部６を設け、下面側を磁石３の上方の極と同極とする磁石４の、突部６を、足裏のツボに相当する位置に、突部６を挿通しうる孔８を設けた弾性シートよりなる上部シート７ａの下面側から孔８に挿通してその先端部を上面側に突出させ、基盤部５の上面を上部シート７ａの下面側に当接させ、弾性シートよりなる下部シート７ｂを基盤部５を挟んで上部シート７ａを下面側から重ね、固着または着脱自在に係止して天板７を形成し、その天板７を、下部シート７ｂ側を下にして凹部２を覆い、プレート１の上面に固着または着脱自在に係止する。【選択図】図１
2005278796.tif 000002
【特許請求の範囲】
【請求項１】
プレートに１または複数の凹部を設け、それらそれぞれの凹部の底に１または複数の磁石を収納し、基盤部の上面に突部を設け、下面側を前記凹部内の磁石の上方の極と同極とする磁石の、前記突部を、足裏のツボに相当する位置に、前記磁石の突部を挿通しうる孔を設けた弾性シートよりなる上部シートの下面側から前記孔に挿通してその先端部を上面側に突出させ、前記基盤部の上面を前記上部シートの下面側に当接させ、弾性シートよりなる下部シートを前記磁石の基盤部を挟んで上部シートの下面側から重ね、固着または着脱自在に係止して天板を形成し、その天板を、下部シート側を下にして前記凹部を覆い、前記プレートの上面に固着または着脱自在に係止してなる健康履物の底または中敷。
【請求項２】
プレートに１または複数の凹部を設け、それらそれぞれの凹部の底に１または複数の磁石を収納し、基盤部の上面に突部を設け、下面側を前記凹部底の磁石の上方の極と同極とする磁石の、前記突部を、足裏のツボに相当する位置に、前記磁石の突部を挿通しうる孔を設けた弾性シートよりなる天板の下面側から前記孔に挿通してその先端部を上面側に突出させ、前記基盤部の上面を前記天板の下面側に当接させ、かつ、固着するかまたは固着せず、その天板を、磁石の基盤部を下にして前記凹部を覆い、前記プレートの上面に固着または着脱自在に係止してなる健康履物の底または中敷。
【請求項３】
プレートに１または複数の凹部を設け、それらそれぞれの凹部の底に１または複数の磁石を収納し、基盤部の上面に突部を設け、下面側を前記凹部底の磁石の上方の極と同極とする磁石の、前記突部を、足裏のツボに相当する位置に、前記磁石の突部を挿通しうる孔を設けたプレートよりなる天板の下面側から上下に移行可能に挿通してその先端部を上面側に突出させ、前記基盤部の上面を前記天板の下面側に当接させ、その天板を、磁石の基盤部を下にして前記凹部を覆い、前記底板の上面に固着または着脱自在に係止してなる健康履物の底または中敷。
【請求項４】
凹部底の磁石の上方の空間に磁力を通過可能の弾性体を充填してなるなることを特徴とする請求項１乃至３のいずれかに記載の健康履物の底。
【発明の詳細な説明】
【技術分野】
【０００１】
この発明は、磁石の反発力を利用した、足裏刺激性の優れた健康履物の底および中敷、および足裏刺激性とクッション性の優れた健康履物の底および中敷に関するものである。
【背景技術】
【０００２】
従来、特許文献１に記載された健康サンダルのように、底の表面で、ツボ相当位置に突部を設け、歩行により突部が足裏を押して刺激する履物がある。
また、特許文献２に記載されているような、サンダル台の上面に、弾力性のある材料を用いて伏皿状に形成した上面部材を底板に接合させることにより空気室を設け、クッション性を高めたサンダルがある。
【特許文献１】実開平６−７２４０３号公報（要約、図１、図３）
【特許文献２】実用新案登録第３０３６２８１号公報（請求項２、０００６、図１、２）
【発明の開示】
【発明が解決しようとする課題】
【０００３】
特許文献１に記載された健康サンダルのような履物は、クッション性がなく、また、突部が足裏を押すためのものであるので、或る程度の硬さがあるので、歩行を続けると足裏が痛くなり、長時間の歩行ができない。
また、その時々に、不必要な箇所の突部を取り外すことができない。
【０００４】
特許文献２に記載のようなサンダルは、歩行により伏皿状の上面部材が足による押圧部分が移動することにより、伏皿状の空室内で空気が移動しクッション性を高めるのであるので、伏皿状の上面部材とサンダル台との接合を密にしなければならない。
接合が密にされても、使用の繰り返しで、接合部分に隙間が生じ易く、歩行の際に隙間から空気が漏れ、外部から隙間を通じて空気が流入するのが遅いので、クッション性がなくなってしまう。
【課題を解決するための手段】
【０００５】
プレートに１または複数の凹部を設け、それらそれぞれの凹部の底に１または複数の磁石を収納し、基盤部の上面に突部を設け、下面側を前記凹部内の磁石の上方の極と同極とする磁石の、前記突部を、足裏のツボに相当する位置に、前記磁石の突部を挿通しうる孔を設けた弾性シートよりなる上部シートの下面側から前記孔に挿通してその先端部を上面側に突出させ、前記基盤部の上面を前記上部シートの下面側に当接させ、弾性シートよりなる下部シートを前記磁石の基盤部を挟んで上部シートの下面側から重ね、固着または着脱自在に係止して天板を形成し、その天板を、下部シート側を下にして前記凹部を覆い、前記プレートの上面に固着または着脱自在に係止して健康履物の底または中敷とする。
【０００６】
プレートに１または複数の凹部を設け、それらそれぞれの凹部の底に１または複数の磁石を収納し、基盤部の上面に突部を設け、下面側を前記凹部底の磁石の上方の極と同極とする磁石の、前記突部を、足裏のツボに相当する位置に、前記磁石の突部を挿通しうる孔を設けた弾性シートよりなる天板の下面側から前記孔に挿通してその先端部を上面側に突出させ、前記基盤部の上面を前記天板の下面側に当接させ、かつ、固着するかまたは固着せず、その天板を、磁石の基盤部を下にして前記凹部を覆い、前記プレートの上面に固着または着脱自在に係止して健康履物の底または中敷とする。
【０００７】
プレートに１または複数の凹部を設け、それらそれぞれの凹部の底に１または複数の磁石を収納し、基盤部の上面に突部を設け、下面側を前記凹部底の磁石の上方の極と同極とする磁石の、前記突部を、足裏のツボに相当する位置に、前記磁石の突部を挿通しうる孔を設けたプレートよりなる天板の下面側から前記孔に上下に移行可能に挿通してその先端部を上面側に突出させ、前記基盤部の上面を前記天板の下面側に当接させ、その天板を、磁石の基盤部を下にして前記凹部を覆い、前記底板の上面に固着または着脱自在に係止して健康履物の底または中敷とする。
【０００８】
凹部底の磁石の上方の空間に磁力を通過可能の弾性体を充填してもよい。
【発明の効果】
【０００９】
本件発明に係る底または中敷で上方の磁石を天板に固定してあるものを用いた履物を使用して歩行すると、体重が踵から爪先の方へ移行してかかり、天板が順次押されるが、その押される天板の位置の磁石の突部が足裏を押して刺激し、足裏の血行をよくする。そして、天板が弾性シートよりなるので、足裏で押されるとその弾性で天板が下がるので、突部の足裏を押す力が減少するが、一方で、天板が下がると上下の磁石が接近して反発し、上方の磁石を上方へ押す力が働くので、上方の磁石の突部先端が足裏を常に適度に押している。従って、足裏を傷めず、長時間歩行することができる。また、その際に上方の磁石が天板を上方へ押すので、クッション性がよい。
【００１０】
本件発明に係る底または中敷で上方の磁石を天板に固定してないものを用いた履物を使用して歩行すると、体重が踵から爪先の方へ移行してかかり、天板が順次押されるが、その押される天板の位置の磁石の突部が足裏を押して刺激するが、足裏で押された天板の部分の磁石の突部は、足裏に押されて、凹部内方向に基盤部が下がり、突部による足裏の押し圧力が弱まるが、基盤部が凹部底の磁石に接近して反発し、磁石４が上方へ押され、突部６の先端が足裏を適度に押す。磁石から出る磁力が足裏の血行をよくする。
【００１１】
更に、天板をプレートに着脱自在に係止した底または中敷は、天板を外して一部の箇所の磁石を取り除いて所望の箇所だけに突部を設けたり、または、適度の反発で足裏を押す磁石を選択し入れ替えることができる。これにより、長時間歩行しても足裏が痛くなることがない。
【発明を実施するための最良の形態】
【００１２】
図１に示す健康履物の底は次の構成である。すなわち、本底１の上面に凹部２を設ける。一方の磁石３を凹部２内に遊嵌するか、または、凹部２の底面に固着するかまたは面ファスナー等の係止具を用いて着脱自在に係止する。凹部２の底の磁石３に対向させる磁石４は、基盤部５に上向きの突部６を設けたものとする。基盤部５の下方の極は、凹部２の底の磁石３の上方側の極と同極とする。
本底１は、通常一般に使用されている弾性材料で形成する。
【００１３】
天板７は、２層構造で弾性シートの上部シート７ａと下部シート７ｂとよりなる。下部シート７ｂは磁力を通す材料で形成する。上部シート７ａには、足裏のツボに相当する位置に、磁石４の突部６を挿通しうる孔８を設ける。
磁石４の突部６の先端部を上部シート７ａの下方から孔８に挿入して突部６の先端部を上部シート７ａの上面に突出させ、基盤部５の上面を上部シート７ａの孔８の下面周縁部に当接させ、下部シート７ｂを上部シート７ａの下面に重ね、磁石４の基盤部５を挟み、上部シート７ａと下部シート７ｂとを接着または縫着等の方法で固着するか、または、面ファスナーまたはホック等の係止具を用いて着脱自在に係止する。
突部６の先端面は球面とする。突部６および基盤部５の平面形状は円形でも、多角形状でもよい。
磁石４の基盤部５を挟んだ上部シート７ａと下部７ｂよりなる天板７の下部シート７ｂ側で凹部２の上方を覆い、下部シート４ｂを本底１の上面に固着または着脱自在に係止する。
基盤部５の代わりに、突部等の抜け止めを設けてもよい。
【００１４】
天板７には、突部６のある磁石４と、突部６のない磁石３を併用してもよい。
凹部２の底の磁石３の上方の空間に、磁石の反発を妨げない弾性体、たとえば発泡ウレタン等のスボンジ体やゴム等を充填してもよい。
【００１５】
なお、図２に示すように、図１に示す底の２層の天板の下部シート７ｂを省略して上部シート７ａだけを用いてもよい。この場合には、基盤部５の上面を部材１４ａの下面に接着するか、または接着しなくてもよい。
【００１６】
天板７の材料は、弾性シートの代わりに、木、金属、プラスチック等のプレートでもよい。ただし、本底１が弾性材料よりなるときには、歩行時幾分屈曲するので、天板７のプレートも本底１の屈曲に応じて屈曲する材料を用いる。
本底が下駄のように木製の底である場合には、屈曲しない材料のプレートでもよい。この場合には、基盤部５を天板７ａに接着せず、天板７ａの孔８は突部６を移行可能に挿入できるものとする。
【００１７】
突部４の基盤部５を上部シート７ａと下部シート７ｂとで挟んだ２層の天板７、または、７ａの下面に基盤部５を固定した天板７を取付けた履物を使用して歩行すると、足裏の爪先部分から踵部分方向にかけて順次天板を押すが、その際、天板を押している足裏部分に対応する位置の磁石４の突部６が足裏を押して刺激する。そして、突部６が足裏に押されて凹部２内方向に下がるので、足裏を押す力が減少する。しかし、突部６が押される時には足裏を押して刺激し、突部６が押されて凹部２内方向に下がると、基盤部５が凹部２内底の磁石３と接近するので、反発してその力で常に磁石４を持ち上げようとし、突部の先端が絶えず足裏を適度に押して刺激する。
その際に、押された突部の磁石を取付けられている天板７の部分が上下してクッション性をよくする。
【００１８】
図２に示す底で、磁石４の基盤部５を天板７（７ａ）に固定してない場合には、図３に示すように、歩行により足裏で突部６が押されると、基盤部５が天板７（７ａ）から離れ、凹部２底の磁石３方向に下降し、突部６も下降して足裏の刺激は一時弱まるが、歩行による足裏の押圧の減少により、磁石３と４とが反発して磁石４を持ち上がるので、足裏の押圧が無くなるまで常に突部が足裏を押して刺激する。
また、この際に、突部６が足裏で押されると、突部が下がり、足裏が天板７（７ａ）に接し、足裏が天板７（７ａ）を押し、天板７（７ａ）は凹部２内方向に押され、歩行による足裏の押圧が減少すると磁石３と４との反発で磁石４の基盤部５により天板７（７ａ）が上方へ押されて持ち上がるので、クッション性がよい。
【００１９】
磁石４は、図４（Ａ）に示すように、全体が磁石であってもよく、または（Ｂ）に示すように、基盤部５の全部または下部を磁石とし、基盤部５の下面側をＮ極とし上方側をＳ極とするか、または、それらを反対の極としてもよい。ただし、下面側の極は、凹部の底に配置する磁石３の上面の極と同極とする。
【００２０】
凹部２は、図１に示すものは、大きな１個であるが、複数の凹部を設けてもよい。
【００２１】
磁石３は、図に示すものはプレート状であるが、その片面の全面がＳまたはＮ極であるものでもよく、また、片面にＳ極とＮ極が交互に存在するものでもよい。
また、磁石はプレート状の物に限らず、棒状やボタン状等のいずれの形状のものでもよい。
磁石は、永久磁石を用いるのが好ましい。
【００２２】
凹部が大きい場合には、上下それぞれに複数の磁石を用うれば、歩行の際の本底１の屈折を容易にして好ましい。
【００２３】
凹部を天板で覆い、前方部から踵部にかけて１または複数とするか、または、前方部、中間部、踵部のいずれかに１または複数設けてもよい。
【００２４】
上記いずれの実施の形態においても、凹部底の磁石は凹部２に遊嵌したが、凹部２底に接着固定してもよい。
【００２５】
上記いずれの実施の形態においても、上下２つの磁石の間に、磁石の反発を妨げない弾性体、たとえば発泡ウレタン等のスボンジ体やゴム等を充填してもよい。
【００２６】
上記のいずれの実施例も、履物の底として説明したが、図１乃至３で説明した底と同様の構成で中敷を構成することができる。
その中敷の構成は、上記説明の底を中敷と、本底をプレートと読み替えることにより説明される。
【図面の簡単な説明】
【００２７】
【図１】履物の底の断面図である。
【図２】他の実施の形態の履物の底の断面図である。
【図３】歩行時の履物の底の状態の説明図である。
【図４】磁石４の説明図である。
【符号の説明】
【００２８】
１  本底
２  凹部
３  磁石
４  磁石
５  基盤部
６  突部
７  天板
８  孔
【図１】
2005278796.tif 000003
【図２】
2005278796.tif 000004
【図３】
2005278796.tif 000005
【図４】
2005278796.tif 000006